(57)【特許請求の範囲】
【請求項１】
浴室の床から立ち上る槽壁を有する浴槽と、
前記槽壁を入浴者が通過できる通路状で、且つ、浴室側および浴槽側にそれぞれ外扉および内扉が設けられた出入室と、
その出入室に滞留する水を減らすべく出入室内に配置され、且つ、弾性変形する節水部材とからなり、
前記内扉および外扉が閉じられており、且つ、前記入浴者の脚の周囲に前記節水部材が配置されている状態を経て、前記入浴者が浴槽に入りまたは浴室へ出るようにされており、
前記外扉が外開きする構造であり、
前記節水部材が外扉の内面に保持されており、
前記外扉を閉じると、前記節水部材が出入室内に配置されるものである、出入室付き浴槽。
【請求項２】
前記出入室の浴槽側に、前記浴槽から水が流入するのを邪魔する立壁が設けられており、
その立壁には切り込みが形成され、且つ、少なくとも切り込み付近は弾性変形する部材で形成されており、
前記入浴者は、切り込みを押し拡げて前記浴槽に出入するものである、請求項１記載の出入室付き浴槽。
【請求項３】
前記槽壁に入浴者が腰掛けるためのターンテーブルが設けられており、
前記出入室の外扉および内扉が、それぞれターンテーブルと反対側の側縁付近を開閉のための回動の支点とし、ターンテーブル側の側縁を外向きに回動させて、開閉するものである、請求項２記載の出入室付き浴槽。
【請求項４】
浴室の床から立ち上る槽壁を有する浴槽と、
前記槽壁を入浴者が通過できる通路状で、且つ、浴室側および浴槽側にそれぞれ外扉および内扉が設けられた出入室と、
その出入室に滞留する水を減らすべく出入室内に配置され、且つ、弾性変形する節水部材とからなり、
前記内扉および外扉が閉じられており、且つ、前記入浴者の脚の周囲に前記節水部材が配置されている状態を経て、前記入浴者が浴槽に入りまたは浴室へ出るようにされており、
前記節水部材には、浴室側から浴槽側に延びている切り込みが形成されており、
その切り込みを前記入浴者の脚で押し広げて、入浴者は出入室に出入りするようにされている、出入室付き浴槽。
【請求項５】
浴室の床から立ち上る槽壁を有する浴槽に設けられるものであり、
前記槽壁を入浴者が通過できる通路状であり、且つ、浴室側および浴槽側にそれぞれ外扉および内扉を設けた出入室と、
その出入室内に配置され、且つ、前記浴槽から流入し、出入室に滞留する水を減らすための節水部材とからなり、
前記内扉および外扉が閉じられており、且つ、前記入浴者の脚の周囲に前記節水部材が配置されている状態を経て、前記入浴者が浴槽に入りまたは浴室へ出るようにされており、
前記外扉が外開きする構造であり、
前記節水部材が外扉の内面に保持されており、
前記外扉を閉じると、前記節水部材が出入室内に配置されるものである、浴槽機構。
【請求項６】
浴室の床から立ち上る槽壁を有する浴槽に設けられるものであり、
前記槽壁を入浴者が通過できる通路状であり、且つ、浴室側および浴槽側にそれぞれ外扉および内扉を設けた出入室と、
その出入室内に配置され、且つ、前記浴槽から流入し、出入室に滞留する水を減らすための節水部材とからなり、
前記内扉および外扉が閉じられており、且つ、前記入浴者の脚の周囲に前記節水部材が配置されている状態を経て、前記入浴者が浴槽に入りまたは浴室へ出るようにされており、
前記節水部材には、浴室側から浴槽側に延びている切り込みが形成されており、
その切り込みを前記入浴者の脚で押し広げて、入浴者は出入室に出入りするようにされている、浴槽機構。
【請求項７】
浴槽の槽壁に形成される通路状であると共に浴室側に外扉および浴槽側に内扉がそれぞれ設けられており、且つ、外扉が外開きする構造であると共に外扉の内面に節水部材が保持されている出入室に、外扉を閉じることにより節水部材を配置し、
前記内扉および外扉が閉じられており、且つ、入浴者の脚の周囲に節水部材が配置されている状態を経て、内扉を開いて浴槽に入り、または、外扉を開いて浴室に出る、浴槽に出入する方法。
【発明の詳細な説明】
【技術分野】
【０００１】
本発明は浴槽に関する。さらに詳しくは洗い場に面した槽壁を跨ぐことなく入浴できる浴槽に関するものである。
【背景技術】
【０００２】
足腰の弱い高齢者、膝など脚に故障のある者は、浴槽の側壁をまたぐのが困難な場合がある。このため従来から、以下に示す技術があった。
例えば、特許文献１には出入戸付き入浴槽の技術が開示されている。その入浴槽は、出入に使用する控え槽と、入浴用の湯を溜める入浴槽とからなる。それらの控え槽と入浴槽とは、仕切戸により仕切られている。前記控え槽の洗い場に面する側壁には、出入に使用するための出入戸が設けられている。また控え槽と入浴槽とは、管路で連通されている。その管路には控え槽から入浴槽に湯を戻すためのポンプが設けられている。
さらに例えば、特許文献２にはウォークインバスシステムの技術が開示されている。そのバスシステムは、主浴室と、その浴槽に取り付けられた容積の小さい外部室とからなる。その外部屋には、外側ドアと、主浴室側の内側ドアとが設けられている。内側ドアには、主浴室と外部室の水位を釣り合せるバランスバルブが設けられている。
【先行技術文献】
【特許文献】
【０００３】
【特許文献１】特開２００２−３６０４６０号公報
【特許文献２】英国特許出願公開第２５０００３６号明細書
【発明の概要】
【発明が解決しようとする課題】
【０００４】
入浴者が浴槽の側壁を跨がずに入浴できるように、洗い場側および浴槽側にそれぞれ扉を配設した、いわば二重扉とした小部屋を浴槽の側壁に用いた技術が、従来からある。この小部屋を介して出入すると、出入の間、浴槽の湯（水）が流出し続けるのを防止することができる。しかしながら、出入りの度に小部屋の水が流失してしまう。これに対し、特許文献１ではポンプで小部屋の湯を浴槽に戻している。しかしながら、設備が大掛かりになる傾向にある。
また小部屋は、脚・腰などが不自由な入浴者が浴槽へ出入するための通路とされるから、体を正確に動かすことができない者にとって、余裕をもって出入できる程度の内部空間（スペース）を必要とする。さらに介助する者にとっても、空間的に余裕のある通路に入浴者を案内する方が楽である。しかしながら、大きなスペースを設けると、流失する水の量が多くなる傾向にある。
このように、小部屋のスペースが大きければ出入しやすい傾向にあるが、大きくなりすぎると流失する水の量が多くなる傾向にあり、これらの技術事項は相反する。
【０００５】
そこで、本発明は相反する技術事項を満たし、その上で、それを簡易な方法で実現する出入室付き浴槽、浴槽機構および浴槽に出入する方法を提供することを課題とする。
【課題を解決するための手段】
【０００６】
（１）本発明の出入室付き浴槽は、浴室の床から立ち上る槽壁を有する浴槽と、前記槽壁を入浴者が通過できる通路状で、且つ、浴室側および浴槽側にそれぞれ外扉および内扉が設けられた出入室と、その出入室に滞留する水を減らすべく出入室内に配置され、且つ、弾性変形する節水部材とからなり、前記内扉および外扉が閉じられており、且つ、前記入浴者の脚の周囲に前記節水部材が配置されている状態を経て、前記入浴者が浴槽に入りまたは浴室へ出るようにされており、前記外扉が外開きする構造であり、前記節水部材が外扉の内面に保持されており、前記外扉を閉じると、前記節水部材が出入室内に配置されるものである、ことを特徴としている。
【０００８】
（２）このような出入室付き浴槽は、前記出入室の浴槽側に、前記浴槽から水が流入するのを邪魔する立壁が設けられており、その立壁には切り込みが形成され、且つ、少なくとも切り込み付近は弾性変形する部材で形成されており、前記入浴者は、切り込みを押し拡げて前記浴槽に出入するものであるのが好ましい。
【０００９】
（３）さらに前記槽壁に入浴者が腰掛けるためのターンテーブルが設けられており、前記出入室の外扉および内扉が、それぞれターンテーブルと反対側の側縁付近を開閉のための回動の支点とし、ターンテーブル側の側縁を外向きに回動させて、開閉するものであるのが好ましい。
【００１０】
（４）本発明の出入室付き浴槽の他の態様は、浴室の床から立ち上る槽壁を有する浴槽と、前記槽壁を入浴者が通過できる通路状で、且つ、浴室側および浴槽側にそれぞれ外扉および内扉が設けられた出入室と、その出入室に滞留する水を減らすべく出入室内に配置され、且つ、弾性変形する節水部材とからなり、前記内扉および外扉が閉じられており、且つ、前記入浴者の脚の周囲に前記節水部材が配置されている状態を経て、前記入浴者が浴槽に入りまたは浴室へ出るようにされており、前記節水部材には、浴室側から浴槽側に延びている切り込みが形成されており、その切り込みを前記入浴者の脚で押し広げて、入浴者は出入室に出入りするようにされている、ことを特徴としている。
【００１１】
（５）本発明の浴槽機構は、浴室の床から立ち上る槽壁を有する浴槽に設けられるものであり、前記槽壁を入浴者が通過できる通路状であり、且つ、浴室側および浴槽側にそれぞれ外扉および内扉を設けた出入室と、その出入室内に配置され、且つ、前記浴槽から流入し、出入室に滞留する水を減らすための節水部材とからなり、前記内扉および外扉が閉じられており、且つ、前記入浴者の脚の周囲に前記節水部材が配置されている状態を経て、前記入浴者が浴槽に入りまたは浴室へ出るようにされており、前記外扉が外開きする構造であり、前記節水部材が外扉の内面に保持されており、前記外扉を閉じると、前記節水部材が出入室内に配置されるものである、ことを特徴とする。
（６）本発明の浴槽機構の他の態様は、浴室の床から立ち上る槽壁を有する浴槽に設けられるものであり、前記槽壁を入浴者が通過できる通路状であり、且つ、浴室側および浴槽側にそれぞれ外扉および内扉を設けた出入室と、その出入室内に配置され、且つ、前記浴槽から流入し、出入室に滞留する水を減らすための節水部材とからなり、前記内扉および外扉が閉じられており、且つ、前記入浴者の脚の周囲に前記節水部材が配置されている状態を経て、前記入浴者が浴槽に入りまたは浴室へ出るようにされており、前記節水部材には、浴室側から浴槽側に延びている切り込みが形成されており、その切り込みを前記入浴者の脚で押し広げて、入浴者は出入室に出入りするようにされている、ことを特徴とする。
【００１２】
（７）本発明の浴槽に出入する方法は、浴槽の槽壁に形成される通路状であると共に浴室側に外扉および浴槽側に内扉がそれぞれ設けられており、且つ、外扉が外開きする構造であると共に外扉の内面に節水部材が保持されている出入室に、外扉を閉じることにより節水部材を配置し、前記内扉および外扉が閉じられており、且つ、入浴者の脚の周囲に節水部材が配置されている状態を経て、内扉を開いて浴槽に入り、または、外扉を開いて浴室に出る、ことを特徴にしている。
【発明の効果】
【００１３】
本発明の出入室付き浴槽、浴槽機構および浴槽に出入する方法は、浴槽の側壁を跨がずに入浴することができ、その上で、簡易に節水することができる。
【図面の簡単な説明】
【００１４】
【図１】図１は本発明の出入室付き浴槽の概略を説明するための概略図である。
【図２】図２ａは本発明の出入室付き浴槽の一実施形態を示す平面図、図２ｂは図２ａのＩ−Ｉ線部分断面図である。
【図３】図３は図２ａの節水部材の一実施形態を示す概略斜視図である。
【図４】図４は本発明の浴槽に出入する方法の一実施形態を示す概略工程図である。
【図５】図５ａは図３の節水部材の他の実施形態を示す概略図、図５ｂは図３の節水部材のさらに他の実施形態を示す概略図である。
【図６】図６は節水部材の他の実施形態を示す概略斜視図である。
【図７】図７は内扉が開く様子を示す概略工程図である。
【図８】図８はパッキンおよびバネ部の一実施形態を示す概略図である。
【発明を実施するための形態】
【００１５】
［１．概略］
＜第１実施形態＞
まず図２を用いて、出入室付き浴槽について説明する。図２ａに示している出入室付き浴槽１は、浴室の床（洗い場）２から槽壁３ａが立ち上る浴槽３を備えている。その浴槽３の槽壁３ａには、出入室４が設けられている。その出入室４は、槽壁３ａを入浴者が脚Ｐ（図１参照）で跨がないでも通過できるような通路状に形成された部屋である。その出入室４には、洗い場側および浴槽側にそれぞれ外扉５および内扉６が設けられている。さらに出入室４の中には、節水部材７が設けられている。本実施形態では、外扉５の内面に節水部材７が保持されている。また出入室４と節水部材７は、本発明の浴槽機構８を構成している。
なお、本図では外扉５に保持された節水部材７だけを示しており、その他の節水部材７の図示は省略している。節水部材７の詳細は、例えば図３などで後述する。
【００１６】
次いで、図１を用いて、節水部材７がどのように作用するのかを説明する。例えば、図１の下の図では、入浴者が浴槽３から洗い場２へ出る前の様子を示している。出入室４には浴槽３と同じ水位の湯（水）が流入している。その流入した水は、入浴者が内扉６を開けて出入室４に入室した際に流れ込んだものである。この状態で、洗い場２に出るべく外扉５を開けると、出入室４に滞留している水の全てが流出水Ｖ２として流失してしまう。
一方で、上の図のように、出入室４に節水部材７を設けておくと、節水部材７の体積の分だけ、洗い場２に流れてしまう水を節水することができる。実際に失われるのは、符号Ｖ１で示された体積の流出水である。
【００１７】
［２．各構成］
（洗い場２、浴槽３）
図２ａに戻って、洗い場２および浴槽３は、例えば、従来公知のユニットバスまたはシステムバスなどと呼ばれているものである。それらは、工場などで予め防水性の高い素材を用いて天井・浴槽・床・壁などを成型しておき、現場に搬入した後にそれらを組み立てるタイプの浴室である。
図２ｂには、洗い場２の床と浴槽３の槽壁３ａを示している。本実施形態では、浴槽３は洗い場２の床下に一部が埋め込まれるようにして設けられている。
なお、槽壁３ａは、洗い場２と一体に形成されていなくてもよい。さらになお、浴槽３は別体であってもよい。例えば、洗い場２に載置する置き型の浴槽３であってもよい。
【００１８】
（出入室４）
図２ａに示しているように、出入室４は、底部４ａとその底部４ａの両端から向い合わせに立ち上る通路壁４ｂ、４ｂとからなる断面が略コ字状の通路を備えており、その通路の両出入口を外扉５および内扉６でそれぞれ閉じて部屋にされている。
また図２ｂに示しているように、底部４ａは、嵩上部４ｃにより洗い場２の床面から嵩上げされている、なお、嵩上部４ｃは、槽壁３ａの高さが低い場合は不要である。
【００１９】
（外扉５、内扉６）
外扉５および内扉６は、通路壁４ｂ、４ｂの端面（符号４ｄ参照）に被せるように設けられている。それらの端面４ｄには、図示しないパッキンが設けられている。外扉５および内扉６は、端面４ｄとの間にパッキンを介して閉じられる。
また外扉５および内扉６は、外向きに開閉される（二点鎖線参照）。それらの扉５、６と通路壁４ｂ、４ｂとは、それぞれ丁番により連結されている。その丁番は、従来公知のものである。
なお、出入室４、外扉５および内扉６の材質は、一般的にシステムバスに採用されているのと同じ材質で形成されるのがよい。
【００２０】
（節水部材７）
次いで、図３を用いて節水部材７を説明する。なお、以後の説明において使用する前後・左右・上下のそれぞれの方向については、図中に矢印と共に、前後・左右・上下の方向をそれぞれ示している。
図に示す節水部材７は、外扉５(図２参照)の内面に保持される回動部材９と、出入室４の内扉６に近い側で、且つ、通路壁４ｂ（図２の上方の通路壁４ｂ）に保持される内部材１０と、その内扉６と対向する通路壁４ｂの内面に保持されるＬ字部材１１とからなる。
節水部材７は、入浴者の脚Ｐ（図１参照）を弾力的に押圧させるようにして、脚Ｐに密着させるのがよい。出入室４に水が滞留するための余分な内部空間（スペース）を与えないためである。
また、例えば、後述する爪先を入れ込むための切欠部９ｃ、１０ａ(図中の節水部材７の下方の部位参照)について、節水部材７を弾性変形させながら、爪先を押し込む程度の寸法で形成されるのがよい。さらに、切欠部９ｃ、１０ａが形成されている付近の節水部材７には、下面から上方に向け、且つ、前後方向に延びているスリット７ａが並列に形成されている。爪先を押し込んで入れやすくするためである。
節水部材７の上端面の高さ位置は、浴槽３で想定されている水位以上であるのがよい。水位より低いと、出入室４内に水が滞留する余分なスペースが生じるからである。
【００２１】
（材質）
節水部材７は、水を吸収しにくい素材または吸水しても水が抜けやすい材質であるのが好ましい。その上で、脚Ｐで押され、脚Ｐの形状に沿うように弾性変形し、押す力がなくなると、元の形状に復元するような材質であるのが好ましい。
例えば、対候性を有する緩衝材など従来公知の材質が好ましく、合成樹脂を発砲させた素材が挙げられる。より具体的には、発泡させたポリエチレン、発砲させたウレタンなどである。吸水性を有する材質であっても、水をはじく素材、例えば、ゴム製のカバーで包み込んで用いてもよい。
またシリコンやウレタンを主材とするゲル状の素材を用いても良い。さらにそのゲル状の素材を、水をはじく素材、例えば、ゴム製のカバーで包み込んで用いてもよい。
節水部材７の材質としては従来公知のものを用いることができる。
【００２２】
（回動部材９）
回動部材９は、外扉５の開閉により共に回動する部材である。入浴者が出入室４に入った後に、外扉５を閉じると、回動部材９が脚Ｐの周囲に配置され、室内の余分なスペースが埋められる。
回動部材９は、大まかには、直方体部９ａ（図中の左前）と、その直方体部９ａの後方の面から連続し、且つ、後方に延びている板状の板部９ｂとからなる。
直方体部９ａは、入浴者の左脚Ｐの爪先の上面から上方の部位のスペースを埋めるように配置される（図４のＳ３参照）。直方体部９ａの下方の部位には、切欠部９ｃが形成されている。切欠部９ｃは、外扉５を閉じた際に、爪先に対応する部位を予め切り欠いて形成したものである。
板部９ｂは、外扉５を閉じた際に、左脚Ｐのくるぶしから上方の部位、例えば、膝付近にかけての脚Ｐの左側面と外扉５との間のスペースを埋めるように配置される。
【００２３】
（内部材１０）
内部材１０は、入浴者の右脚の爪先の上面から出入室４の上方の部位のスペースを埋めるように配置される直方体状の部材である（図４のＳ３参照）。その内部材１０の右側面は、内扉６の内面と接する、あるいは近接するようにされている。内部材１０の後面は後方に凸になるような周面を有している。内部材１０の下方の部位には、切欠部１０ａが形成されている。切欠部１０ａは、右脚Ｐの爪先に対応する部位を予め切り欠いて形成したものである。
内部材１０の内部には、Ｌ字状のブラケット１６が設けられている。そのブラケット１６は、図の左右方向に延びている固定部１６ａと、その固定部１６ａから垂直に折り曲げられ、且つ、閉じた内扉６の内面と平行になるように延ばされている形状保持部１６ｂとからなる。内部材１０は固定部１６ａを介して通路壁４ｂ（図２ａの上側の通路壁）に固定されている。また形状保持部１６ｂは、浴槽３から流れ込む水の水圧に耐えて、内部材１０の形状を保持するための補強部材として作用する。
この内部材１０の浴槽３側の部位（図中の符号１８を付した付近）は、出入室４の浴槽３側を塞ぐ立壁１８の一部を構成している。
【００２４】
（Ｌ字部材１１）
Ｌ字部材１１は、入浴者の右脚Ｐの後側および右側で、且つ、右脚Ｐと内扉６および後方の通路壁４ｂの間のスペースを埋めるように配置される部材である（図４のＳ３参照）。Ｌ字部材１１は、出入室４に配置した際に、通路壁４ｂ（図２ａの下側の通路壁）に対向するように延びている基部１１ａと、閉じた内扉６の内面に対向するように延びている直線部１１ｂとからなる。直線部１１ｂの右側面は、内扉６の内面と接する、あるいは近接するようにされている。Ｌ字部材１１の図中の符号１８を付した付近は、立壁を構成している。
本実施形態では、直線部１１ｂの先端付近は、内部材１０に当接している。その当接は、直線部１１ｂの弾性変形（図中の二点鎖線参照）の邪魔にならない程度でされている。なお当接しないで、いくらか隙間を空けていてもよい。この当接部付近は、立壁１８に形成された切れ込み１９である。また直線部１１ｂの左右の面には、直線部１１ｂの内側に向かって上下方向に延びているスリット１１ｃ、１１ｃが形成されている。直線部１１ｂの弾性変形を容易にするためである。
Ｌ字部材１１の内部には、Ｌ字状のブラケット１７が設けられている。そのブラケット１７は、基部１１ａに沿って延びている固定部１７ａと、その固定部１７ａから垂直に折り曲げられ、且つ、直線部１１ｂと同じ方向に延びている形状保持部１７ｂとからなる。Ｌ字部材１１は固定部１６ａを介して通路壁４ｂ（図２ａの下側の通路壁）に固定されている。また形状保持部１６ｂは、浴槽３から流れ込む水の水圧にいくらか耐えて、形状を保持するための補強部材である。
本実施系形態では、形状保持部１６ｂは、直線部１１ｂが延びている方向において、その中間付近まで達している。このため、その中間付近から先端にかけての直線部１１ｂは、弾性変形により湾曲する（図の二点鎖線参照）。入浴者は脚Ｐで直線部１１ｂの先端側を弾性変形させて、出入室４と浴槽３の間を行き来する。
【００２５】
（ターンテーブル１２）
図２ａに戻って、槽壁３ａの上には、円形の板状の部材からなるターンテーブル１２が設けられている。そのターンテーブル１２に、入浴者が座って、その座った姿勢のまま体の向きを変えることができる。符号Ｏ（図４参照）で示している点は、ターンテーブル１２の回動中心である。なお、ターンテーブル１２は、従来公知のものである。
【００２６】
［３．浴槽に出入する方法］
（浴槽に出入する方法２０）
次に図４を用いて、本発明の浴槽に出入する方法（以後単に出入方法という。）について説明する。図に示している出入方法２０は、主要な構成として、出入室４の外扉５および内扉６を閉じた状態で、入浴者の脚Ｐの周囲に節水部材７を配置する工程（Ｓ２参照）と、内扉６を開いて浴槽に入り、または、外扉５を開いて洗い場２に出る工程（Ｓ５参照）とを備えている。まず、入浴者が浴槽３に入る方法を説明する。
【００２７】
（工程Ｓ１）
図４に示している工程Ｓ１では、入浴者の脚Ｐは洗い場２にあり、入浴者はターンテーブル１２に座っている状態である。内扉６は閉じられている。一方で、外扉５は開かれている。回動部材９は出入室４の外にある。すなわち、出入室４の入口から内部にかけて大きく開いている状態である。このため、入浴者は出入室４内へのアクセスが容易である。なお、図中に示す二点鎖線は、入浴者の脚Ｐの軌跡を表している。
【００２８】
（工程Ｓ２）
次いで、入浴者が出入室４に入る。入浴者はターンテーブル１２を回転させながら、脚Ｐを出入室４に入れる。本実施形態では、例えば、右足の爪先を内部材１０の切欠部１０ａに押し込むようにして入れる。
【００２９】
（工程Ｓ３）
外扉５を閉じる。このとき回動部材９は脚Ｐを弾力的に押圧し、ほぼ密着するので、出入室４内の空いたスペースを効率よく埋めることができる。なお、このとき弾性変形により節水部材７の一部が部分的に水面から飛び出してもよい。
【００３０】
（工程Ｓ４）
内扉６を開ける。出入室４内に浴槽３から水が入り、浴槽３と同じ水位になる。このとき外扉５が誤って開いていたとしても、内部材１０およびＬ字部材１１（立壁１８）が浴槽３側の開口を閉じているので、水が一気に洗い場２へ流失するのを防止できる。
【００３１】
（工程Ｓ５）
次いで、入浴者が浴槽３に入る。このとき、脚ＰでＬ字部材の直線部１１ｂを湾曲させるように弾性的に変形させ（図３の二点鎖線参照）、切れ込み１９を押し広げる。脚Ｐが切れ込み１９を通過すると、弾性変形していた直線部１１ｂを含む節水部材７は、元の形状に復元する。その後、内扉６を閉じて、入浴する。
【００３２】
次に、浴槽３から出る方法を説明する。この出る方法は、前述した入る方法とほぼ同様であるので、異なる部分のみ説明し、同じ部分の説明は省略する。
（Ｓ５）：入浴者がターンテーブル１２に座る。内扉６を開ける。このとき外扉５は閉じられている。
（Ｓ４）：ターンテーブル１２を回動させながら、脚Ｐを出入室４に入れる。このとき、Ｌ字部材の直線部１１ｂを主に弾性的に脚Ｐで変形させながら脚Ｐを入れる。そして、両爪先を節水部材の切欠部９ｃ、１０ａにそれぞれ押し入れる。
（Ｓ３）：内扉６を閉じる。
（Ｓ２）：外扉５を開ける。出入室４の内部の水が洗い場２に流出するが、節水部材７の体積の分だけ流出する水の量を少なくすることができる。
（Ｓ１）：ターンテーブル１２を回動させて、脚Ｐを洗い場２に出す。
【００３３】
［４．他の実施形態］
＜第２実施形態＞
（浴槽機構）
以下に、本発明の浴槽機構８の他の実施形態を説明する。この実施形態は、前述した第１実施形態とほぼ同様であるので、異なる部分のみ説明し、同じ部分の説明は省略する。
図５ａに第１実施形態の浴槽機構８の節水部材７の他の実施形態を示している。浴槽機構は、第１実施形態に対して、節水部材７の形状が異なっている。浴槽機構の節水部材１４は、出入室４の内部容積をほぼ満たす形状である。その節水部材１４の中央には洗い場２から浴槽３に向かって延びているスリット１４ａが形成されている。その入浴者はスリット１４ａに脚Ｐを入れる。このため、余分なスペースがほとんどないので、節水の効果が高い。節水部材１４の高さは、弾性変形しない状態で、想定される水位と同じ程度またはそれ以上の高さにされている。脚Ｐが節水部材１４から抜けた際に、浴槽３から出入室４に入ってくる水をなるべく少なくするためである。
【００３４】
節水部材１４は、出入室４の洗い場２側の入口をほとんど塞いでしまう。しかし、節水部材１４は弾性変形できる柔軟な材質であるから、スリット１４ａに脚Ｐを正確に配置できなくても、脚Ｐで節水部材１４を弾性変形させながら、脚Ｐをスリット１４ａに導くことができる。
【００３５】
（変形例）
前述の実施形態では、スリット１４ａを形成していたが、変形例の節水部材にはスリットが形成されていない。図５ｂに変形例の節水部材の概略を示す。図に示す節水部材１５は、出入室４の平面的には内部面積をほぼ占めているが、その高さに関しては入浴者が脚Ｐを上げることのできる程度の高さとされている。
入浴者は、節水部材１５を踏むようにして出入室４に入る（図５ｂの右側参照）。脚Ｐで踏まれると、節水部材１５は弾性変形し、出入室４の上方に追いやられる（図の符号ｔ参照）。脚Ｐが抜けると、節水部材１５は元の形状に復元する（図５ｂの左側参照）。
【００３６】
［５．各構成についてのその他］
（滑り部材）
入浴者が脚Ｐで弾性変形させる部分には、脚Ｐとの間で摩擦を少なくするような滑り部材（図示せず）を設けてもよい。例えば、ボディータオルに用いられるような合成樹脂製の素材で、網目の大きな生地を利用するのがよい。ボディータオルは、肌との相性がよく、乾きやすいからである。
そのような滑り部材は、Ｌ字部材の直線部１１ｂの先端付近や、内部材１０の凸状に湾曲した周面、具体的にはＬ字部材の直線部１１ｂと当接する付近に設けるのがよい。
【００３７】
（節水部材７の他の実施形態）
本発明の節水部材７の他の実施形態を説明する。本実施形態における節水部材は、前述した第１実施形態の節水部材７とほぼ同様であるので、異なる部分のみ説明し、同じ部分の説明は省略する。
図６に節水部材の他の実施形態を示す。図に示している節水部材２１は、回動部材９の形状が異なる点および三角部をさらに備えている点で第１実施形態の節水部材７と異なる。
節水部材２１の回動部材９は、板部９ｂの先端付近が、入浴者の左脚Ｐのふくらはぎと出入室４との間のスペースを埋めるように延びている（符号２１ａ参照）。
三角部２１ｂは、略三角柱状の部材であり、外扉５が閉じた際の回動部材９とＬ字部材１１との間に設けられている。三角部２１ｂは、左右の脚Ｐ、Ｐのふくらはぎ、且つ、左右の脚Ｐ、Ｐの間の空間を埋めるように配置されている。その三角部２１ｂは、その三角形の底辺に相当する面を通路壁４ｂ（図２ａの下側の通路壁）に固定されている。さらに三角部２１ｂの左右の面には、内向きで、且つ、上下方向に延びているスリット２１ｃ、２１ｃが形成されている。三角部２１ｂの弾性変形を容易にし、入浴者の出入を容易にしている。
【００３８】
（アングル丁番２２）
図７は内扉６を開閉自在に取り付ける取付部（アングル丁番）２２を示している。図では、内扉７を開ける様子を出入室４の内側から見た様子を示している（図２のＡ矢視に相当する）。図中の符号Ｔ１は内扉６を閉じた状態、Ｔ２は内扉６を少し開けた状態、Ｔ３は出入室４をほぼ全開にした状態である。
アングル丁番２２は、開閉のための回動の軸Ｐを、内扉６の浴槽３側に角部Ｐ１の外側に設けている（Ｔ１参照）。このため、内扉６を少しでも開けると（工程Ｔ１から工程Ｔ２）、内扉６と通路壁４ｂとの間に隙間２２ａ（Ｔ２参照）が生じる。その隙間２２ａを通じて、浴槽３から出入室４に水が流入する。
図４に戻って、例えば、工程Ｓ３において、出入室４には水が溜まっていないが、浴槽３には多量の水が溜まっている。このため、水圧に逆らって、内扉６を浴槽３側に回動させて開けるには力がいる。しかし、内扉６を少しでも回動させると、内扉６の回動軸Ｐ側に隙間２２ａ（図７参照）が生じ、水が流入する。このため、内扉６の先端側と回動軸Ｐ側の両側から水は流入するので、内扉６を開けやすい（工程Ｓ４参照）。
なお、アングル丁番の他に、例えば、取付具として、内扉６を開ける際に、回動軸側から水が流入すべく、内扉６と通路壁４ａとの間に隙間２２ａが生じるものを用いるのがよい。
【００３９】
（パッキン・バネ）
図８には、通路壁４ｂに設けられるパッキンおよび付勢部材（バネ部）を示している。それらパッキン２３およびバネ部２４は、通路壁４ｂの内扉６側の端面（図２および図８の符号４ｄ参照）に設けられている。内扉６は、通路壁４ａの端面４ｄの上から被せるように閉じられる。
パッキン２３は従来公知のものである。
バネ部２４は、内扉６側の端面４ｄに設けられている。バネ部２４は、パッキン２３に並列で、且つ、端面４ｄの外側に設けられている。バネ部２４は上下に２つ設けられている。バネ部２４は金属板からなる。そのバネ部２４は短冊状の基板２４ａと、その基板の上に重ねるように配置された湾曲板２４ｂとからなる。湾曲板２４ｂは、基板２４ａに固定される固定端部（図の上方）と、内扉６側に向けて凸に湾曲された中間部と、基部２４ａの上面に沿って動くことができる自由端部とからなる。
内扉６を閉じる際には、内扉６の内面により、湾曲した中間部が押さえ付けられ、湾曲板２４ｂは弾性変形する。その弾性変形により、自由端部は基板２４ａの上面を先端側に移動する。閉じられた内扉６には、弾性変形した湾曲部が元に戻ろうとする力により、内扉６を浴槽３側に開こうとする付勢力が作用している。このため、内扉６を浴槽３の水圧に逆らって開くのが容易である。
また、図示していないが、外扉５と端面４ｄとの間には、前述したパッキン２３が設けられている。外扉５側の端面４ｄには、バネ部２４は設けられていない。
【００４０】
［６．その他］
（１）前述の実施形態、変形例は、それぞれを適宜に組み合わせて用いることができる。
（２）前述の実施形態では、出入室４は浴槽３の内部に突出していたが、隣接するように設けてもよい。また出入室４を浴槽３の中央でなく、一方の側（例えば図２ａの上方または下方）に設けてもよい。
（３）前述の実施形態では、出入室４は箱形状であるが、その他の形状であってもよい。例えばターンテーブル１２により回動する入浴者の脚Ｐの軌跡に沿うような平面視で円弧状の通路形状にしてもよい。また節水部材１４において、スリット１４ａを脚Ｐの軌跡に沿うように形成してもよい。
（４）内扉６をスライド式にし、槽壁３ａの内部に収納できる構造にしてもよい。その際には、出入室４を内扉６が槽壁３ａ内に収納できる位置に設けるのがよい。
（５）前述の実施形態では、ターンテーブル１２を設けていたが、設けなくてもよい。
（６）内部材１０および／またはＬ字部材１１を内扉６の内面に固定してもよい。
（７）節水部材７、１４、１５、２１として、空気等の気体で膨らませた風船状の部材や浮き輪のような部材を用いてもよい。それらの部材を膨らませる際には、電動・手動のポンプを用いるのがよい。
（８）節水部材７、１４、１５を取り外して乾燥させることができるように、出入室４に紐などを係止することのできる係止部（図示せず）を設けて前記節水部材を固定してもよい。また面ファスナーを用いて固定してもよい。さらに節水部材７、１４、１５、２１の弾力で、出入室４内に突っ張るようにして保持させてもよい。
（９）節水部材７、１４、１５、２１は脚Ｐと出入室４との間の隙間を埋めるものでればよい。
【００４１】
［６．まとめ］
出入室付き浴槽１（浴槽機構、浴槽に出入する方法）は、浴室（洗い場）２の床から立ち上る槽壁３ａを有する浴槽３と、槽壁３ａを入浴者が通過できる通路状で、且つ、浴室２側および浴槽３側にそれぞれ外扉５および内扉６が設けられた出入室４と、その出入室４に滞留する水を減らすべく出入室４内に配置され、且つ、弾性変形する節水部材７とからなる。そして、外扉５および内扉６が閉じられており、且つ、入浴者の脚Ｐの周囲に節水部材７が配置されている状態を経て、入浴者が浴槽３に入りまたは洗い場２へ出るようにされている。このため、出入室４から出るために外扉５を開いた際に、洗い場２へ流失する水の量を少なくすることができる。
【００４２】
このような出入室付き浴槽１は、外扉５が外開きする構造であり、節水部材７が、弾性変形する部材であり、且つ、外扉５の内面に保持されており、外扉５を閉じると、節水部材７が出入室４内に配置されるものである場合は、出入室４に脚Ｐを入れた後に節水部材７が配置されるので、入浴者が出入室４に入りやすい。
【００４３】
また出入室４の浴槽３側に、浴槽３から水が流入するのを邪魔する立壁１８が設けられており、その立壁１８には切り込み１９が形成され、且つ、少なくとも切り込み１９付近は弾性変形する部材で形成されており、入浴者は、切り込み１９を押し拡げて浴槽３に出入する場合は、内扉６を開けた際に、外扉５が誤って開いていたとしても、立壁１８が邪魔をして、水が一気に洗い場２へ流失するのを防止できる。
【００４４】
槽壁３ａに入浴者が腰掛けるためのターンテーブル１２が設けられており、出入室４の外扉５および内扉６が、それぞれターンテーブル１２と反対側の側縁付近を開閉のための回動の支点とし、ターンテーブル側の側縁を外向きに回動させて、開閉するものである場合は、入浴者は、ターンテーブル１２を回動させた際の脚Ｐの移動軌跡上に、開いた状態の外扉５および内扉６が配置されない。このためターンテーブル１２を回動させて、出入室４内において、スムーズに脚Ｐを通過させることができる。
【００４５】
節水部材７が、出入室４に予め配置されており、節水部材７には、浴室（洗い場）２側から浴槽３側に延びている切り込み（スリット）１４ａが形成されており、そのスリットを入浴者の脚Ｐで押し広げて、入浴者は出入室４に出入りするようにされている場合は、出入室４内に余分なスペースがほとんどないので、節水の効果が高い。脚Ｐをスリット１４ａに入れるので、入浴者の出入が容易である。
【符号の説明】
【００４６】
１  出入室付き浴槽１
２  浴室（洗い場）
３  浴槽
３ａ  槽壁
４  出入室
４ａ  底部
４ｂ  通路壁
４ｃ  嵩上部
４ｄ  端面
５  外扉
６  内扉
７  節水部材
８  浴槽機構
９  回動部材
９ａ  直方体部
９ｂ  板部
９ｃ  切欠部
１０  内部材
１０ａ  切欠部
１１  Ｌ字部材
１１ａ  基部
１１ｂ  直線部
１２  ターンテーブル
１４  節水部材
１４ａ  スリット
１５  節水部材
１６  ブラケット
１６ａ  固定部
１６ｂ  形状保持部
１７  ブラケット
１７ａ  固定部
１７ｂ  形状保持部
１８  立壁
１９  切れ込み
２０  浴槽に出入する方法（出入方法）
２１  節水部材
２１ａ  板部の先端の形状
２１ｂ  三角部
２１ｃ  スリット
２２  取付部（アングル丁番）
２２ａ  隙間
２３  パッキン
２４  付勢部材（バネ部）
２４ａ  基板
２４ｂ  湾曲板
Ｏ  回動中心
Ｐ  回動軸
【要約】      （修正有）【課題】簡易な機構で、出入室に出入しやすく・水の流出量を少なくする出入室付き浴槽を提供する。【解決手段】浴室２の床から立ち上る槽壁を有する浴槽３と、槽壁を入浴者が通過できる通路状で、浴室側および浴槽側にそれぞれ外扉５および内扉６が設けられた出入室４と、出入室または扉に設けられ、浴槽から流入し、出入室に滞留する水を減らすための節水部材とからなり、内扉および外扉が閉じられており、入浴者の脚Ｐの周囲に節水部材が配置されている状態を経て、入浴者が浴槽に入りまたは浴室へ出るようにされている、出入室付き浴槽。【選択図】図１【図１】
0006671594.tif 000002
【図２】
0006671594.tif 000003
【図３】
0006671594.tif 000004
【図４】
0006671594.tif 000005
【図５】
0006671594.tif 000006
【図６】
0006671594.tif 000007
【図７】
0006671594.tif 000008
【図８】
0006671594.tif 000009